(57)【要約】      （修正有）【課題】通信伝送インタフェースを有する光ファイバ測定メータとワイアレスモバイル装置を組み合わせて、ワイアレスモバイル装置を介して操作可能なモバイル型光ファイバテスト装置を提供する。【解決手段】モバイル型光ファイバテスト装置は、ＵＳＢ等の通信伝送インタフェース１０２を有し光ファイバ２２をテストするモバイル型光ファイバ測定メータ１０、及び通信伝送インタフェースに電気的に接続し、モバイル型光ファイバ測定メータを操作して光ファイバテストを行い、又モバイル型光ファイバ測定メータが得たテスト結果及びデータをワイアレスネットワークを介してクラウド１６にアップロードし、又は、クラウドから資料をダウンロードするワイアレスモバイル装置１２を含む。【選択図】図３
0003182962.tif 000002
【実用新案登録請求の範囲】
【請求項１】
通信伝送インタフェースを有し、且つ光ファイバをテストするモバイル型光ファイバ測定メータ、及び
前記通信伝送インタフェースに電気的に接続され、前記モバイル型光ファイバ測定メータの操作ソフトウェアとクラウド伝送分析ソフトウェアを内蔵し、前記モバイル型光ファイバ測定メータを操作し、又前記モバイル型光ファイバ測定メータが前記光ファイバから得られたテスト結果及びデータを、ワイアレスネットワークを介してクラウドへアップロードするワイアレスモバイル装置を含むことを特徴とするモバイル型光ファイバテスト装置。
【請求項２】
前記モバイル型光ファイバ測定メータは光パルス試験器（ＯＴＤＲ）、挿入損失測定メータ又は光パワーメータであることを特徴とする請求項１記載のモバイル型光ファイバテスト装置。
【請求項３】
前記通信伝送インタフェースはＵＳＢ又はＳＡＴＡコネクタであることを特徴とする請求項２記載のモバイル型光ファイバテスト装置。
【請求項４】
前記ワイアレスモバイル装置は伝送ケーブルにより前記モバイル型光ファイバ測定メータの前記通信伝送インタフェースに電気的に接続されることを特徴とする請求項１記載のモバイル型光ファイバテスト装置。
【請求項５】
前記ワイアレスモバイル装置はスマートフォン、ノートブック型コンピュータ、タブレット型コンピュータ又はＰＤＡなどであることを特徴とする請求項１記載のモバイル型光ファイバテスト装置。
【請求項６】
前記ワイアレスモバイル装置は更にワイアレスネットワークにより、前記クラウドから資料をダウンロードすることを特徴とする請求項１記載のモバイル型光ファイバテスト装置。
【請求項７】
前記ワイアレスネットワークはインターネット又はモバイル通信ネットワークであることを特徴とする請求項６記載のモバイル型光ファイバテスト装置。
【請求項８】
前記クラウドは、クラウドサービス（cloud computing services）又はクラウドコンピューティング技術（cloud computing technologies）であることを特徴とする請求項７記載のモバイル型光ファイバテスト装置。
【請求項９】
前記クラウドは更に、前記データを演算分析し、結果を測定現場の前記ワイアレスモバイル装置に戻すように設けられていることを特徴とする請求項８記載のモバイル型光ファイバテスト装置。
【考案の詳細な説明】
【技術分野】
【０００１】
本考案は光ファイバテスト装置に関し、特に通信伝送インタフェースを有する光ファイバ測定メータとワイアレスモバイル装置を組み合わせてワイアレスモバイル装置を介して操作可能なモバイル型光ファイバテスト装置に関する。 
【背景技術】
【０００２】
光ファイバは高帯域幅、データ伝送速度、低信号ロス及び電磁波の干渉を受けにくいなどのメリットを有し、他の伝送媒体と比較して、明らかに優れている。従って、現在のようなインターネット情報が非常に発達したマーケットにおいて、光通信の急速な成長は次第に従来の銅ケーブル伝送通信方式から取って代わり、目下ブロードバンドネットワーク敷設の最も主要な情勢となっている。
【０００３】
そのうち、光ファイバの敷設過程において、敷設する距離が非常に長いので、中間において、融着接点又はコネクタなどにより光ファイバ接続架設の距離を延伸する。そして、そのうち折り曲げや開路などにより光通信が不良の状況が発生する場合があり、又は、光ファイバネットワークアーキテクチャにおいてネットワークメンテナンスを検査する際には、いずれも光ファイバテスト装置により検知しなければならない。よく見られる光パルス試験器（OTDR）にとって、光ファイバ光ケーブルテストは光ケーブルの施工、メンテナンス、緊急修理の重要な技術手段なので、光パルス試験器（OTDR）により光ファイバ接続の現場での検視や接続ロス測量評価を行うことは、現在最も有効な方法であり、且つモニタと同時に局内から各接続点の実際の伝送距離を比較的正確に測定でき、光パルス試験器（OTDR）により直接検査信号を発信し、戻ってくる反射信号を受信することにより光通信の不良点及びこの状況の発生位置までの距離を検査する。
【考案の概要】
【考案が解決しようとする課題】
【０００４】
しかし、従来の光パルス試験器は一つの単一テスト装置であるため、表示モニタと一つの大量データ演算が可能なＣＰＵが配置されるとともに、ハードウェアとファームウェアを組み合わせるので、その体積は大きくなり、それに相当する重量になるため、携帯性とその使用が難しいという欠点があり、価格も高価であった。さらに光パルス試験器自体が検知したデータ資料もそれ自体に内蔵したデータベースに保存又は比較、演算及び分析が行われるので、現場で測定されたデータ資料をさらに共有又は比較分析することができない。
【０００５】
これに鑑み、本考案はモバイル型光ファイバテスト装置を提供するとともに上記の問題点を改善する。
【課題を解決するための手段】
【０００６】
本考案の主な目的はモバイル型光ファイバテスト装置を提供することであり、本考案では、通信伝送インタフェースを有する光ファイバ測定メータとワイアレスモバイル装置を組み合わせることにより、ワイアレスモバイル装置を介して直接光ファイバ測定メータを制御して現場で光ファイバテストを行い、かつ、現場で測定されたデータ資料をリアルタイムでアップロードし、又はデータをダウンロードすることができる。
【０００７】
本考案の別の目的は、モバイル型光ファイバテスト装置を提供することであり、本考案では、光ファイバ測定メータを利用して軽量小型で且つ携帯性に優れているというメリットを有する。更に、如何なる演算が可能なワイアレスモバイル装置の多機能性を補助することにより、携帯使用に優れたモバイル型光ファイバテスト装置として組み合わせる。
【０００８】
上記の目的を達成するために、本考案が提供するモバイル型光ファイバテスト装置は、主に、通信伝送インタフェースを有するモバイル型光ファイバ測定メータ、及び通信伝送インタフェースに電気的に接続されたワイアレスモバイル装置を含み、このワイアレスモバイル装置によりモバイル型光ファイバ測定メータを直接操作し、モバイル型光ファイバテスト装置を制御して測定する光ファイバに対しテストを行い、測定する光ファイバから得られたテスト結果及びデータをワイアレスネットワークを介してクラウドへアップロードする又はクラウドから資料などをダウンロードする。
【０００９】
上述のモバイル型光ファイバ測定メータは、光パルス試験器（OTDR）又は挿入損失測定メータであってもよい。上述のワイアレスモバイル装置はスマートフォン、ノート型パソコン、タブレット型パソコン又はＰＤＡなどでもよい。上述の通信伝送インタフェースはＵＳＢ又はＳＡＴＡコネクタであってもよい。ワイアレスモバイル装置は更に、必要な操作ソフトウェアを備える必要があり、モバイル型光ファイバテスト装置を制御する。
【００１０】
この他、ワイアレスモバイル装置は伝送ケーブルによりモバイル型光ファイバテストメータの通信伝送インタフェースに電気的に接続することもできる。
【００１１】
下記において、図面を合わせて具体的な実施例を説明することにより、本考案の目的、技術内容、特徴及びそれが達成できる効果がさらに容易に理解できる。
【図面の簡単な説明】
【００１２】
【図１】図１は、本考案のモバイル型光ファイバテスト装置の図である。
【図２】図２は、本考案を使用したモバイル型光パルス試験器（OTDR）の実施例のブロック図である。
【図３】図３は、本考案の実際に光ファイバ測定を行った接続状態図である。
【考案を実施するための形態】
【００１３】
本考案は通信伝送インタフェースを有する光ファイバ測定メータとネットワーク機能を有するワイアレスモバイル装置とを組み合わせることにより、ワイアレスモバイル装置を利用して光ファイバ測定メータに直接接続して操作し現場の光ファイバに対してテストを行う。また、ネットワークを介してリアルタイムで現場において測定したデータ資料をアップロードし、又は資料をダウンロードすることができる。
【００１４】
＜実施例＞
図１を参照すると、本考案のモバイル型光ファイバテスト装置は主に二つの部分を含む。一つは、モバイル型光ファイバ測定メータ１０、例えば、モバイル型光パルス試験器（OTDR）、挿入損失測定メータ（Loss Tester）又は光パワーメータであり、もう一つは、多くの人が所有する一台のワイアレスモバイル装置１２、例えば、スマートフォン、ノート型パソコン、タブレット型パソコン又はPDAなどである。図面において製図したものは最も普遍的なスマートフォンを例にしており、このワイアレスモバイル装置１２は、モバイル型光ファイバ測定メータ１０に対応する操作ソフトウェア及びクラウド伝送と分析ソフトウェアを内蔵する。そのうち、モバイル型光ファイバ測定メータ１０は通信伝送インタフェース１０２を有し、ＵＳＢコネクタ又はＳＡＴＡコネクタであってもよい。本図面の実施例中では、ＵＳＢコネクタ１０２を例として説明する。このモバイル型光ファイバ測定メータ１０は光ファイバに接続でき、即ちこの光ファイバをテストする。このワイアレスモバイル装置１２は伝送ケーブル１４を介してモバイル型光ファイバ測定メータ１０のＵＳＢコネクタ１０２に電気的に接続され、この伝送ケーブル１４の一端は前記ＵＳＢコネクタ１０２に対応してＵＳＢソケット１４２（ＳＡＴＡコネクタに対応する場合ＳＡＴＡソケット）であり、別の一端はワイアレスモバイル装置１２の接続ポート１２２に合わせて対応する接続プラグ１４４を設置する。この図面においてミニＵＳＢ接続プラグを例に示す。ワイアレスモバイル装置１２は伝送ケーブル１４を介して直接接続し、モバイル型光ファイバ測定メータ１０を操作し、モバイル型光ファイバ測定メータ１０が現場で測定して得られた光ファイバテスト資料及びデータをワイアレスネットワークを介してクラウド１６にアップロードし、又はワイアレスネットワークによりクラウド１６から資料をダウンロードする。このワイアレスネットワークはインターネット又はモバイル通信網であってもよい。そのほか、この前記クラウド１６は、ネットワーク接続によりリモートエンドで得られるサービスのクラウドコンピューティングサービス（cloud computing services）又はリモートエンドが提供する各種演算のクラウドコンピューティングテクノロジー（cloud computing technologies）を含む。そのうち、クラウド１６にアップロードしたデータはクラウド１６において複雑な計算分析演算が行われた後、結果を測定現場のワイアレスモバイル装置１２に戻して表示し、現場処理に提供する。
【００１５】
本考案の全体像を説明した後、本考案におけるモバイル型光ファイバ測定メータ１０の実施例を続けて説明する。ここで、モバイル型光パルス試験器（OTDR）２０を例としており、図２に示すように、このモバイル型光パルス試験器２０は、プロセッサ２０１、パルス発生器２０２、レーザダイオード２０３、光カプラ２０４、コネクタ２０５、ブレークダウンダイオード２０６、増幅器２０７、デジタルアナログコンバータ２０８及びＵＳＢコネクタ２０９を含む。プロセッサ２０１は制御シグナルをパルス発生器２０２へ生成して、レーザダイオード２０３がテスト光信号を発出して光カプラ２０４を介してコネクタ２０５に接続される測定する光ファイバへ発信し現場テストを行う。その後、返信された光信号は順にコネクタ２０５、光カプラ２０４を経由してブレークダウンダイオード２０６に伝送されて、ブレークダウンダイオード２０６が結果信号を生成して増幅器２０７により信号が増幅されたのち、ＡＤコンバータ２０８へ伝送され信号変換が行われた後、プロセッサ２０１へ伝送される。同時に図１を参照すると、ここでのプロセッサ２０１は測定する光ファイバ２２のテスト資料及びデータを受信した後、ＵＳＢコネクタ２０９を介してワイアレスモバイル装置１２に伝送され、使用者は直接ワイアレスモバイル装置１２によりモニタ、演算又はワイアレスネットワークを介してクラウドへのアップロードができる。当然、ワイアレスモバイル装置１２がその他資料データにより比較演算が必要な場合、クラウド１６から資料をワイアレスモバイル装置１２へダウンロードして分析、比較又は演算などを行う。また、現在のワイアレスモバイル装置１２が使用する処理システムにより如何なる処理又は演算も行える。よって、モバイル型光パルス試験器（ＯＴＤＲ）２０において使用されるプロセッサ２０１はもっとも簡単でかつ安価な基本的なプロセッサであり、且つ表示モニタを配置する必要がなく、光パルス試験器の体積及び重量、更には価格をも大幅に減少させることができる。
【００１６】
本考案におけるモバイル型光ファイバテスト装置を使用して現場で測定を行う場合、図３に示すように、まず、モバイル型光ファイバ測定メータ１０のＵＳＢコネクタ１０２を伝送ケーブル１４のＵＳＢソケット１４２に挿入し、伝送ケーブル１４の別の一端の接続プラグ１４４はワイアレスモバイル装置１２の接続ポート１２２に対応して挿入し、ワイアレスモバイル装置１２は伝送ケーブル１４を介してモバイル型光ファイバ測定メータ１０に直接接続し操作する。又モバイル型光ファイバ測定メータ１０を現場の測定する光ファイバ２２に接続する。このように、ワイアレスモバイル装置１２が直接モバイル型光ファイバ測定メータ１０を操作して測定する光ファイバを検査し、現場で検査し得られた又は集められたテスト資料及びデータをワイアレスモバイル装置が接続するワイアレスネットワークを介してクラウドへアップロードする、又はワイアレスネットワークによりクラウドから資料をダウンロードする。
【００１７】
本考案が提供するモバイル型光ファイバテスト装置は、通信伝送インタフェースを有するモバイル型光ファイバ測定メータとワイアレスモバイル装置を組み合わせて、ワイアレスモバイル装置によりモバイル型光ファイバ測定メータを直接操作して現場の光ファイバをテストし、又、ワイアレスネットワークを合わせてリアルタイムで資料をアップデート又はダウンロードする機能により、本考案を携帯使用に優れたモバイル型光ファイバテスト装置となす。更に、本考案におけるモバイル型光ファイバ測定メータはモニタ及び一部のファームウェアを省略して直接にワイアレスモバイル装置で取り替えたため、確実にコストを削減でき、将来的には一人一台のような普通の設備にすることができる。これにより、将来では、光ファイバテスト又はメンテナンスが簡単になる。
【００１８】
以上述べた実施例は単に本考案の技術思想及び特徴を説明するものであり、その目的は当業者が本考案の内容を理解し、実施できるようにするものであり、本考案の保護範囲を限定するものではない。即ち、本考案に開示された本質からの均等な変更または修飾は、本考案の保護範囲内である。
【符号の説明】
【００１９】
１０  モバイル型光ファイバ測定メータ
１０２  ＵＳＢコネクタ
１２  ワイアレスモバイル装置
１２２  接続ポート
１４  伝送ケーブル
１４２  ＵＳＢソケット
１４４  接続プラグ
１６  クラウド
２０  携帯型光パルス試験器（OTDR）
２０１  プロセッサ
２０２  パルス発生器
２０３  レーザダイオード
２０４  光カプラ
２０５  コネクタ
２０６  ブレークダウンダイオード
２０７  増幅器
２０８  デジタルアナログコンバータ
２０９  ＵＳＢコネクタ
２２  測定する光ファイバ
【図１】
0003182962.tif 000003
【図２】
0003182962.tif 000004
【図３】
0003182962.tif 000005